(57)【要約】【課題】パイプ抱持バンド取付具を構成する３部材が分離しにくく、かつ強度にすぐれたパイプ抱持バンド取付具を提供する。【解決手段】取付部１２はその基端部に、基板部１１の板面と当接する当接部１２ｂと、当接部１２ｂよりも突出した固定片部１２ａとを有した形状とされ、基板部１１は凹部１１ａに固定片部１２ａが挿通する挿通孔１１ｂを有し、固定部１３はその基端部に、固定片部１２ａの先端が係合する係合溝１３ｃを有しており、取付部１２および固定部１３の両基端部どうしは、固定片部１２ａと係合溝１３ｃとが係合した状態で、凹部１１ａにおいて溶接固定されている。【選択図】図１
2017096326.tif 000002
【特許請求の範囲】
【請求項１】
略中央に設けられた凹部が建築構造物の表面に向けられて添設される基板部と、該基板部の前記凹部側の板面より突出した、前記建築構造物に固定される軸状の固定部と、前記基板部の板面より該固定部とは反対の方向に突出した、パイプ抱持バンドを取り付けるための板状の取付部とを備えたパイプ抱持バンド取付具であって、
前記取付部はその基端部に、前記基板部の板面と当接する当接部と、該当接部よりも突出した固定片部とを有した形状とされ、前記基板部は前記凹部に前記固定片部が挿通する挿通孔を有し、前記固定部はその基端部に、前記固定片部の先端が係合する係合溝を有しており、
前記取付部および前記固定部の両基端部どうしは、前記固定片部と前記係合溝とが係合した状態で、前記凹部において溶接固定されていることを特徴とするパイプ抱持バンド取付具。
【請求項２】
請求項１において
前記固定片部は、その幅方向の両側に前記当接部が配されて凸字状に突出していることを特徴とするパイプ抱持バンド取付具。
【請求項３】
請求項１または２において、
前記固定片部の幅寸法が前記当接部の幅寸法よりも大とされることを特徴とするパイプ抱持バンド取付具。
【発明の詳細な説明】
【技術分野】
【０００１】
本発明は、外壁などの建築構造物の表面に沿って上下方向等に配されるパイプを取り付けるためのパイプ抱持バンドを固定するパイプ抱持バンド取付具に関する。
【背景技術】
【０００２】
図４（ａ）〜（ｃ）に示したように、従来のパイプ抱持バンド取付具１１０は、外壁３などの建築構造物の表面に添設される基板部１１１と、パイプ固定用のパイプ抱持バンド（本図には不図示。図３参照）を取り付けるための長方形板状の取付部１１２と、外壁３に固定される軸状のねじ体などで構成された固定部１１３とを連結して構成されている。基板部１１１は略中央に凹部１１１ａを有しており、固定部１１３はその凹部１１１ａ（の底）に突出形成され、取付部１１２は凹部１１１ａの外面側に突出形成されている。
【０００３】
基板部１１１の凹部１１１ａ（図４（ｃ）参照）の中央部には、３部材を上記のように連結するために、図４（ａ）に示したような分離した２つの挿通孔１１１ｂが形成されている。一方、取付部１１２の基端部（基板部１１１および固定部１１３に連結固定するための端部）には、基板部１１１の挿通孔１１１ｂに挿通される凹字状に、二股に突出した固定片部１１２ａが形成されている。
【０００４】
図４（ｃ）に示したように、基板部１１１の挿通孔１１１ｂに固定片部１１２ａが挿通され、その挿通孔１１１ｂより凹部１１１ａ側に飛び出た固定片部１１２ａ間に固定部１１３の基端部である頭部１１３ａが挟み込まれ、その嵌合部位が溶接されることで３部材が連結されている。
【０００５】
このように、パイプ抱持バンド取付具１１０は３部材がしっかりと連結固定しており、取付部１１２の板面を側方に向けた状態にして固定部１１３を外壁３に固定することで使用されるようになっている。
【先行技術文献】
【特許文献】
【０００６】
【特許文献１】特開２００２−３１２６９号公報
【発明の概要】
【発明が解決しようとする課題】
【０００７】
しかしながら、上記従来の連結構造では、取付部１１２の固定片部１１２ａの成形誤差などにより、固定部１１３の頭部１１３ａが固定片部１１２ａ間にしっかりと嵌合しない場合があり、溶接されているとはいえ、両部材の接合が弱くなるおそれがある。また両部材間のずれも起こりやすい。
【０００８】
しかも、取付部１１２の固定片部１１２ａは脚様の二股形状であるため、取付部１１２の幅寸法によっては各固定片部１１２ａが細くなり、固定片部１１２ａの基部の強度が落ちる可能性があり、折れのおそれもある。
【０００９】
特に、３部材の連結のための溶接は美観を考慮して基板部１１１の凹部１１１ａ側のみでなされ、表面側ではなされていないため、取付部１１２の固定片部１１２ａ間の凹底（基板部１１１の板面への当接部）と、基板部１１１の板面との間にわずかな隙間ができることもある。そのようなものでは建築構造物に取り付けた後に、上記隙間に雨水が浸入し、浸入した水分は両側の挿通孔１１１ｂへと流れる。そのため、固定片部１１２ａの基部の劣化を早めるおそれがある。
【００１０】
本発明は、このような事情を考慮して提案されたもので、その目的は、パイプ抱持バンド取付具を構成する３部材が分離しにくく、かつ強度にすぐれたパイプ抱持バンド取付具を提供することにある。
【課題を解決するための手段】
【００１１】
上記目的を達成するために、請求項１に記載のパイプ抱持バンド取付具は、略中央に設けられた凹部が建築構造物の表面に向けられて添設される基板部と、基板部の凹部側の板面より突出した、建築構造物に固定される軸状の固定部と、基板部の板面より固定部とは反対の方向に突出した、パイプ抱持バンドを取り付けるための板状の取付部とを備えたパイプ抱持バンド取付具であって、取付部はその基端部に、基板部の板面と当接する当接部と、当接部よりも突出した固定片部とを有した形状とされ、基板部は凹部に固定片部が挿通する挿通孔を有し、固定部はその基端部に、固定片部の先端が係合する係合溝を有しており、取付部および固定部の両基端部どうしは、固定片部と係合溝とが係合した状態で、凹部において溶接固定されていることを特徴とする。
【００１２】
請求項２に記載のパイプ抱持バンド取付具は、固定片部が、その幅方向の両側に当接部が配されて凸字状に突出していることを特徴とする。
【００１３】
請求項３に記載のパイプ抱持バンド取付具は、固定片部の幅寸法が当接部の幅寸法よりも大とされることを特徴とする。
【発明の効果】
【００１４】
請求項１に記載のパイプ抱持バンド取付具によれば、取付部の固定片部と固定部の係合溝とを係合する構造であるため、連結された両部材は一体感が得られ、両者のずれは発生しにくい。また、取付部と固定部とがしっかりと結合するため、基板部を含む３部材が分離する可能性は低い。
【００１５】
請求項２に記載のパイプ抱持バンド取付具によれば、固定片部が両側に当接部を配して突出しているので、両側の当接部が基板部の板面に当接し、取付部と基板部との一体感が向上する。また、固定片部が二股にならず、取付部の幅方向の中央に凸字状に配されているため、幅寸法を大きくでき、固定片部の基部の強度を向上させることができる。さらに、当接部が取付部の幅方向の両端に形成されているため、当接部と基板部の板面との間に隙間ができ、その隙間に雨水が浸入したとしても、外方へ流れやすくなっているため、当接部が中央に形成されているものに比べて、固定片部の基部近傍に多くの雨水が集中することがなく、固定片部の基部の劣化を遅らせることができる。
【００１６】
請求項３に記載のパイプ抱持バンド取付具によれば、固定片部の幅寸法を当接部の幅寸法よりも大きくしてあるので、固定片部の基部の強度をさらに高めることができる。
【図面の簡単な説明】
【００１７】
【図１】（ａ）は本発明の一実施形態に係るパイプ抱持バンド取付具の分解斜視図、（ｂ）は同斜視図である。
【図２】（ａ）はパイプ抱持バンド取付具の分解縦断面図、（ｂ）は同縦断面図である。
【図３】パイプ抱持バンド取付具の使用態様の一例を示す斜視図である。
【図４】従来のパイプ抱持バンド取付具の説明図である。（ａ）はパイプ抱持バンド取付具の分解斜視図、（ｂ）はパイプ抱持バンド取付具の斜視図、（ｃ）はパイプ抱持バンド取付具の取付状態を示す縦断面図である。
【発明を実施するための形態】
【００１８】
以下に、本発明の実施の形態について、図１〜図３をもとに説明する。まず、パイプ抱持バンド取付具１０の基本構成について説明する。
【００１９】
本パイプ抱持バンド取付具１０（以下、取付具１０という）は、略中央に設けられた凹部１１ａが建築構造物の表面に向けられて添設される基板部１１と、基板部１１の凹部１１ａ側の板面より突出した、建築構造物に固定される軸状の固定部１３と、基板部１１の板面より固定部１３とは反対の方向に突出した、パイプ抱持バンド３０を取り付けるための板状の取付部１２とを備えている。
【００２０】
取付部１２はその基端部に、基板部１１の板面と当接する当接部１２ｂと、当接部１２ｂよりも突出した固定片部１２ａとを有した形状とされる。基板部１１は凹部１１ａに固定片部１２ａが挿通する挿通孔１１ｂを有している。固定部１３はその基端部に、固定片部１２ａの先端が係合する係合溝１３ｃを有している。取付部１２および固定部１３の両基端部どうしは、固定片部１２ａと係合溝１３ｃとが係合した状態で、凹部１１ａにおいて溶接固定されている。
【００２１】
ついで、図１および図２に示した取付具１０について詳述する。
この取付具１０は、これを構成する基板部１１、固定部および取付部の３部材のいずれもがステンレス等の金属よりなり、各部材が溶接等で一体化されて形成されている。以下、３部材について順次説明し、さらにそれらの連結構造について説明する。なお、以下では、取付具１０を外壁３に取り付けることを前提として、取付部１２側を前方、固定部１３側を後方として前後表記する。
【００２２】
外壁３に取り付けた場合に前方に配される取付部１２は、図３に示したように、パイプ抱持バンド３０を取り付けるための部位であり、パイプ抱持バンド３０の取付片部３１が板状の取付部１２を挟持するようにして固定されるようになっている。この取付部１２には、一対の取付片部３１をそれぞれ２箇所の挿通孔３１ａを通じて、ボルト３３、ナット３４で固定するための長孔１２ｃが開設されている。
【００２３】
パイプ抱持バンド３０は、上記取付片部３１を延出させた環状のバンド部３２を備えており、そのバンド部３２で、竪樋などのパイプ３５を抱持できる構成となっている。
【００２４】
取付具１０において取付部１２の後方に配されている基板部１１は、凸状に幅方向の中央部が突出した形状となっている。また、この突出部の突出高さ寸法は基板部１１の凹部１１ａの底の板厚寸法よりも大きく、凹部１１ａ側（凹部１１ａの底面よりも後方）に突出している。この突出部が上述の固定片部１２ａであり、その幅方向の両側の端部が上述の当接部１２ｂである。
【００２５】
取付部１２の後方に配されている基板部１１は、取付具１０を外壁３に取り付けた際に外壁３の表面に添設される部位であり、その平面中央の凸部の裏側には、前方の取付部１２と後方の固定部１３を連結させるための部位である凹部１１ａが形成されている。換言すれば、基板部１１は後方より見れば鍋形状となっており、取付具１０が外壁３に取り付けられた際に、基板部１１の外周の環状部１１ｃが外壁３に接触するように形成されている。
【００２６】
この基板部１１の凹部１１ａの底には、前後に貫通する矩形の挿通孔１１ｂが開設されている。この挿通孔１１ｂは、上述したように取付部１２の固定片部１２ａが挿通される孔であり、固定片部１２ａが挿通され得るように固定片部１２ａの断面形状に合致した寸法、形状の孔となっている。
【００２７】
基板部１１の後方に配されている固定部１３は、六角形状の頭部１３ａとねじ部１３ｂとを有したねじ体（ボルト体）とされ、その頭部１３ａには上述の取付部１２の固定片部１２ａと係合するための係合溝１３ｃが形成されている。
【００２８】
図１（ａ）（ｂ）および図２（ａ）（ｂ）に示したように、取付部１２の固定片部１２ａが基板部１１の挿通孔１１ｂに挿通され、凹部１１ａより後方に突出した固定片部１２ａの先端と、固定部１３の係合溝１３ｃとが凹部１１ａ内において係合した状態で、凹部１１ａの底面を含む連結部位が溶接され、固定されている。なお、不図示ではあるが、固定部１３の頭部１３ａの前端面は凹部１１ａの底面に当接していることが望ましい。
【００２９】
取付具１０として以上の３部材が連結された状態では、取付部１２の当接部１２ｂが基板部１１の板面に当接している。なお、当接部１２ｂと基板部１１の板面との間にわずかな隙間ができたものであってもよい。
【００３０】
このように、取付部１２と固定部１３とは、固定片部１２ａが基板部１１を貫通した状態で、貫通した固定片部１２ａと係合溝１３ｃとが係合して溶接固定された連結構造となっているため、連結された両部材は一体感が得られ、両者のずれは発生しにくい。また、取付部１２と固定部１３とが基板部１１の凹部１１ａの底面においてしっかりと結合するため、これら３部材が分離する可能性はほとんどない。
【００３１】
また、取付部１２の固定片部１２ａは、その幅方向の両側に当接部１２ｂが配されて凸字状に形成されているので、取付具１０として結合された状態では、両側の当接部１２ｂが基板部１１の前方板面に当接あるいは近接している。そのため、取付部１２と基板部１１との一体感は向上する。さらに、固定片部１２ａが二股になっておらず、取付部１２の幅方向の中央に凸字状に配されているため、幅寸法を大きくでき、固定片部１２ａの基部１２ａａの強度を向上させることができる。よって、固定片部１２ａが曲がったり折れたりする可能性は低い。
【００３２】
特に本図例のものは、固定片部１２ａの幅寸法（Ｗ１）を両当接部１２ｂの幅寸法（Ｗ２×２）よりも大きくしてあるため、固定片部１２ａの基部１２ａａの強度をさらに高めることができる（図２（ａ）参照）。そのため、固定片部１２ａの基部１２ａａでの折れなどの損傷は発生しにくい。
【００３３】
さらに、本図例の取付具１０は当接部１２ｂが取付部１２の幅方向の両端に形成されているため、当接部１２ｂと基板部１１の板面との間に隙間ができ雨水が浸入したとしても、外方へ流れやすくなる。そのため、当接部１２ｂが中央に形成されているものに比べて、固定片部１２ａの基部１２ａａの周辺（挿通孔１１ｂの近傍）へ到達する水分の量が多くなるおそれはなく、この部位の水分による劣化を遅らせることができる。特に、当接部１２ｂの幅寸法（Ｗ２）を小さくすれば当然に、当接部１２ｂと基板部１１の板面との隙間に入り込む水分の量は少なくなるので、水分による固定片部１２ａの劣化をさらに遅らせることができる。
【００３４】
なお、取付部１２の固定片部１２ａの形状としては本実施形態のものに限られず、種々の形状が許容される。固定片部１２ａと当接部１２ｂとが階段形状でもよいし、凹字状（固定片部１２ａが二股形状）でもよい。固定片部１２ａはどのような部位に突出していてもよく、固定部１３の係合溝１３ｃに係合する構造であればよい。
【符号の説明】
【００３５】
１０          パイプ抱持バンド取付具
１１          基板部
１１ａ        凹部
１１ｂ        挿通孔
１１ｃ        環状部
１２          取付部
１２ａ        固定片部
１２ａａ      基部
１２ｂ        当接部
１２ｃ        長孔
１３          固定部
１３ａ        頭部
１３ｂ        ねじ部
１３ｃ        係合溝
３０          パイプ抱持バンド
３１          取付片部
３２          バンド部
３３          ボルト
３４          ナット
３５          パイプ
【図１】
2017096326.tif 000003
【図２】
2017096326.tif 000004
【図３】
2017096326.tif 000005
【図４】
2017096326.tif 000006
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
略中央に設けられた凹部が建築構造物の表面に向けられて添設される基板部と、該基板部の前記凹部側の板面より突出した、前記建築構造物に固定される軸状の固定部と、前記基板部の板面より該固定部とは反対の方向に突出した、パイプ抱持バンドを取り付けるための板状の取付部とを備えたパイプ抱持バンド取付具であって、
前記取付部はその基端部に、前記基板部の板面と当接する当接部と、該当接部よりも突出した固定片部とを有した形状とされ、前記基板部は前記凹部に前記固定片部が挿通する挿通孔を有し、前記固定部はその基端部に、前記固定片部の先端が係合する係合溝を有しており、
前記固定片部は、前記当接部と前記基板部の板面との間に隙間ができ雨水が浸入したとしても、外方へ流れやすくなるように、その幅方向の両側に前記当接部が配されて凸字状に突出しており、かつ、前記固定片部の幅寸法が前記当接部の幅寸法よりも大とされており、
前記取付部および前記固定部の両基端部どうしは、前記固定片部と前記係合溝とが係合した状態で、前記凹部において溶接固定されていることを特徴とするパイプ抱持バンド取付具。
【手続補正２】
【補正対象書類名】明細書
【補正対象項目名】００１１
【補正方法】変更
【補正の内容】
【００１１】
上記目的を達成するために、請求項１に記載のパイプ抱持バンド取付具は、略中央に設けられた凹部が建築構造物の表面に向けられて添設される基板部と、基板部の凹部側の板面より突出した、建築構造物に固定される軸状の固定部と、基板部の板面より固定部とは反対の方向に突出した、パイプ抱持バンドを取り付けるための板状の取付部とを備えたパイプ抱持バンド取付具であって、取付部はその基端部に、基板部の板面と当接する当接部と、当接部よりも突出した固定片部とを有した形状とされ、基板部は凹部に固定片部が挿通する挿通孔を有し、固定部はその基端部に、固定片部の先端が係合する係合溝を有しており、固定片部は、当接部と基板部の板面との間に隙間ができ雨水が浸入したとしても、外方へ流れやすくなるように、その幅方向の両側に当接部が配されて凸字状に突出しており、かつ、固定片部の幅寸法が当接部の幅寸法よりも大とされており、取付部および固定部の両基端部どうしは、固定片部と係合溝とが係合した状態で、凹部において溶接固定されていることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１５
【補正方法】変更
【補正の内容】
【００１５】
また、請求項１に記載のパイプ抱持バンド取付具によれば、固定片部が両側に当接部を配して突出しているので、両側の当接部が基板部の板面に当接し、取付部と基板部との一体感が向上する。また、固定片部が二股にならず、取付部の幅方向の中央に凸字状に配されているため、幅寸法を大きくでき、固定片部の基部の強度を向上させることができる。さらに、当接部が取付部の幅方向の両端に形成されているため、当接部と基板部の板面との間に隙間ができ、その隙間に雨水が浸入したとしても、外方へ流れやすくなっているため、当接部が中央に形成されているものに比べて、固定片部の基部近傍に多くの雨水が集中することがなく、固定片部の基部の劣化を遅らせることができる。
【手続補正６】
【補正対象書類名】明細書
【補正対象項目名】００１６
【補正方法】変更
【補正の内容】
【００１６】
さらに、請求項１に記載のパイプ抱持バンド取付具によれば、固定片部の幅寸法を当接部の幅寸法よりも大きくしてあるので、固定片部の基部の強度をさらに高めることができる。
【手続補正７】
【補正対象書類名】図面
【補正対象項目名】図２
【補正方法】変更
【補正の内容】
【図２】
2017096326.tif 000007